(57)【要約】      （修正有）【課題】分解や組立の作業が簡単で、構造が安定化したダンベルを提供する。【解決手段】ダンベルは、ベース１と、グリップバー２と、グリップバーの両側に連結された複数組のダンベルプレートアセンブリと、を備え、ダンベルプレートアセンブリは、グリップバーに伴って回動可能な回転部材３１と、アダプター３２と、回転部材とアダプターとの間に位置してアダプターと回り止めフィットして連結される制限部材３３と、カウンターウェイトブロック４と、を備え、複数組のダンベルプレートアセンブリのアダプターは、連結ブロックを介して接続され、制限部材は、回転部材側にプレスリブが設けられ、アダプター側に突起が設けられ、アダプターは、突起に対応する位置に挿入穴が形成され、制限部材とアダプターとの間は弾性的に連結され、回転部材の回動時に、回転部材はプレスリブに当接して制限部材が平行移動するように駆動し、突起を挿入穴に出入りさせて、制限部材とアダプターの連結又は分離を実現する。【選択図】図３
0003233515.tif 000002
【実用新案登録請求の範囲】
【請求項１】
ベース（１）と、グリップバー（２）と、グリップバー（２）の両側に連結される複数組のダンベルプレートアセンブリ（３）と、を備える調整可能なダンベルであって、前記ダンベルプレートアセンブリ（３）は、グリップバー（２）に伴って回動可能な回転部材（３１）と、アダプター（３２）と、前記回転部材（３１）とアダプター（３２）との間に位置して前記アダプター（３２）と回り止めフィットして連結される制限部材（３３）と、カウンターウェイトブロック（４）と、を備え、前記複数組のダンベルプレートアセンブリ（３）の前記アダプター（３２）は、連結ブロック（５）を介して接続され、前記制限部材（３３）は、前記回転部材（３１）側にプレスリブ（３３１）が設けられ、前記アダプター（３２）側に突起（３３２）が設けられ、前記アダプター（３２）は、前記突起（３３２）に対応する位置に挿入穴（３２１）が形成され、前記制限部材（３３）と前記アダプター（３２）との間は弾性的に連結され、前記回転部材（３１）の回動時に、前記回転部材（３１）は前記プレスリブ（３３１）に当接して前記制限部材（３３）が平行移動するように駆動し、前記突起（３３２）を前記挿入穴（３２１）に出入りさせて前記制限部材（３３）と前記アダプター（３２）の連結又は分離を実現することを特徴とする調整可能なダンベル。
【請求項２】
前記複数組のダンベルプレートアセンブリ（３）の前記制限部材（３３）における前記プレスリブ（３３１）は、周方向の長さが異なり、前記グリップバー（２）に近い中心位置から両側に向かって徐々に短くなることを特徴とする請求項１に記載の調整可能なダンベル。
【請求項３】
前記ダンベルプレートアセンブリ（３）の数は、４組であり、前記グリップバー（２）の周方向に１回動すると、前記複数組のダンベルプレートアセンブリ（３）の前記カウンターウェイトブロック（４）はいずれも前記アダプター（３２）に接続されることを特徴とする請求項１に記載の調整可能なダンベル。
【請求項４】
前記アダプター（３２）は、前記制限部材（３３）側に位置決め柱（３２２）が設けられ、前記位置決め柱（３２２）に弾性部材が被装され、前記制限部材（３３）の前記位置決め柱（３２２）に対応する位置には位置決め孔（３３３）が開設され、前記位置決め柱（３２２）は前記位置決め孔（３３３）を通過し、前記弾性部材の両端は、前記アダプター（３２）と前記制限部材（３３）にそれぞれ当接され、前記制限部材（３３）と前記アダプター（３２）の弾性的な連結を実現することを特徴とする請求項１に記載の調整可能なダンベル。
【請求項５】
前記回転部材（３１）は、前記制限部材（３３）側に対称的な凹溝（３１１）が形成され、隣接する前記凹溝（３１１）の間には１組の駆動凸部（３１２）が形成され、前記プレスリブ（３３１）の端部には前記駆動凸部（３１２）が当接して摺動するための傾斜面（３３４）が形成されていることを特徴とする請求項１に記載の調整可能なダンベル。
【請求項６】
固定部材（６１）と、前記グリップバー（２）に伴って回動可能な可動部材（６２）と、ロック部材（６３）とを有するロック機構（６）をさらに備え、前記可動部材（６２）は周方向に沿って複数の貫通孔（６２１）が開設され、前記固定部材（６１）には少なくとも１組の弾性ボール（６１１）が設けられ、前記可動部材（６２）と前記固定部材（６１）が相対的に回動すると、前記弾性ボール（６１１）の一部は前記貫通孔（６２１）に落ち込むことができ、前記可動部材（６２）の縁部には間隔を置いて配置された複数の凸状歯（６２２）が形成され、前記貫通孔（６２１）と前記凸状歯（６２２）は交互に分布され、前記ロック機構（６）が前記ベース（１）から離脱する場合、前記ロック部材（６３）が移動して連結された前記凸状歯（６２２）の間にはめ込んで前記可動部材（６２）の回動を防ぐことを特徴とする請求項１に記載の調整可能なダンベル。
【請求項７】
前記貫通孔（６２１）の数は１０個であり、前記プレスリブ（３３１）は、３６°の中心角で円弧状の対称的に配置された２つの凸状リブであり、前記プレスリブ（３３１）は、前記グリップバー（２）の中心位置から離れた前記ダンベルプレートアセンブリ（３）であることを特徴とする請求項６に記載の調整可能なダンベル。
【請求項８】
前記カウンターウェイトブロック（４）の前記挿入穴（３２１）に対応する位置には、前記突起（３３２）を入らせるための係止溝（４１）が形成されていることを特徴とする請求項１に記載の調整可能なダンベル。
【請求項９】
前記カウンターウェイトブロック（４）は、第１のＵ字型切欠き（４２１）を有する本体（４２）と、前記第１のＵ字型切欠き（４２１）から延びて形成された薄肉部（４３）と、を含み、前記薄肉部（４３）は、第２のＵ字型切欠き（４３１）を有し、前記連結ブロック（５）は、複数の前記カウンターウェイトブロック（４）の前記第２のＵ字型切欠き（４３１）の間で横方向に延び、前記アダプター（３２）は前記第１のＵ字型切欠き（４２１）に縦方向に延びることを特徴とする請求項６に記載の調整可能なダンベル。
【請求項１０】
前記連結ブロック（５）は、前記複数組のダンベルプレートアセンブリ（３）の前記アダプター（３２）に固定連結され、前記連結ブロック（５）の一端は前記固定部材（６１）に接続されることを特徴とする請求項９に記載の調整可能なダンベル。
【考案の詳細な説明】
【技術分野】
【０００１】
本考案は、身体トレーニング器具の分野に関し、特に、調整可能なダンベルに関する。
【背景技術】
【０００２】
ダンベルを様々なユーザー層に適応させるために、重量調整可能なダンベルが登場し、ベースに配置されたカウンターウェイトブロックを必要に応じてグリップバーに取り付ける。現在、市販されている調整可能なダンベルのカウンターウェイトブロックの分解や組立の作業が比較的面倒である。
【考案の概要】
【考案が解決しようとする課題】
【０００３】
本考案は、従来技術の欠点を克服するために、分解や組立の作業が簡単で、構造が安定化したダンベルを提供する。
【課題を解決するための手段】
【０００４】
上記の技術的問題を解決するために採用した本考案の技術手段として、調整可能なダンベルは、ベースと、グリップバーと、グリップバーの両側に連結された複数組のダンベルプレートアセンブリと、を備え、前記ダンベルプレートアセンブリは、グリップバーに伴って回動可能な回転部材と、アダプターと、回転部材とアダプターとの間に位置してアダプターと回り止めフィットして連結される制限部材と、カウンターウェイトブロックと、を備え、前記複数組のダンベルプレートアセンブリのアダプターは、連結ブロックを介して接続され、前記制限部材は、回転部材側にプレスリブが設けられ、アダプター側に突起が設けられ、前記アダプターは、突起に対応する位置に挿入穴が形成され、前記制限部材とアダプターとの間は弾性的に連結され、回転部材の回動時に、回転部材はプレスリブに当接して制限部材が平行移動するように駆動し、突起を挿入穴に出入りさせて、制限部材とアダプターの連結又は分離を実現する。
【０００５】
本考案は、必要に応じて異なる数のダンベルプレートアセンブリを選択して連結することができ、柔軟に使用でき、様々なニーズを持つ使用者に適用できる。また、グリップバーの回転によって複数組のダンベルプレートアセンブリの連結又は分離を実現でき、作業が便利であり、ダンベルプレートアセンブリとグリップバーの連結構造が安定して効果的であり、容易に離脱することなく、高い安全性能を有する。
【０００６】
さらに、前記複数組のダンベルプレートアセンブリの制限部材におけるプレスリブは、周方向の長さが異なり、グリップバーに近い中心位置から両側に向かって徐々に短くなる。
【０００７】
さらに、前記ダンベルプレートアセンブリの数は４組であり、グリップバーの周方向に１回動すると、複数組のダンベルプレートアセンブリのカウンターウェイトブロックはいずれもアダプターに接続される。合理的な設計により、１回動すると、全てのダンベルプレートアセンブリが連結又は分離され、使い方の癖に順応している。
【０００８】
さらに、前記アダプターは、制限部材側に位置決め柱が設けられ、当該位置決め柱には弾性部材が被装され、前記制限部材の位置決め柱に対応する位置には位置決め孔が開設され、前記位置決め柱は位置決め孔を通過し、弾性部材の両端は、アダプターと制限部材にそれぞれ当接され、制限部材とアダプターの弾性的に連結を実現する。制限部材とアダプターの弾性的な連結により、カウンターウェイトブロックを分離する必要がある場合、制限部材はアダプターから自動的に離れ、作業が簡単である。
【０００９】
さらに、前記回転部材は、制限部材側に対称的な凹溝が形成され、隣接する凹溝の間には１組の駆動凸部が形成され、前記プレスリブの端部には駆動凸部が当接して摺動するための傾斜面が形成されている。傾斜面の設計により、凸部がプレスリブの側面にスムーズにスライドするように駆動することができ、作業のさらなる省力化が図れる。
【００１０】
さらに、固定部材と、グリップバーに伴って回動可能な可動部材と、ロック部材とを有するロック機構をさらに備え、前記可動部材は周方向に沿って複数の貫通孔が開設され、前記固定部材には少なくとも１組の弾性ボールが設けられ、可動部材と固定部材が相対的に回動すると、前記弾性ボールの一部は貫通孔に落ち込むことができ、前記可動部材の縁部には間隔を置いて配置された複数の凸状歯が形成され、前記貫通孔と凸状歯は交互に分布され、ロック機構がベースから離脱する場合、前記ロック部材が移動して接続された凸状歯の間にはめ込んで可動部材の回動を防ぐ。ロック機構は、複数組のダンベルプレートアセンブリが使用中に緩んで滑り外されるように保証でき、より高い安全性能を実現できる。
【００１１】
さらに、前記貫通孔の数は１０個であり、前記グリップバーの中心位置から離れたダンベルプレートアセンブリにおけるプレスリブは、３６°の中心角で円弧状の対称的に配置された２つの凸状リブである。
【００１２】
さらに、前記カウンターウェイトブロックの挿入穴に対応する位置には、突起を入らせるための係止溝が形成されている。
【００１３】
さらに、前記カウンターウェイトブロックは、第１のＵ字型切欠きを有する本体と、第１のＵ字型切欠きから延びて形成された薄肉部と、を含み、前記薄肉部は、第２のＵ字型切欠きを有し、前記連結ブロックは、複数のカウンターウェイトブロックの第２のＵ字型切欠きの間で横方向に延び、前記アダプターは第１のＵ字型切欠きに縦方向に延びる。
【００１４】
第１のＵ字型切欠きがアダプターの軸方向の平行移動を制限することにより、全体的な構造がより安定化される。
【００１５】
さらに、前記連結ブロックは、複数組のダンベルプレートアセンブリのアダプターに固定連結され、連結ブロックの一端は固定部材に接続される。
【考案の効果】
【００１６】
カウンターウェイトブロックの連結又は分離の作業が簡単で、省力化され、ロック構造が安定して効果的であり、全体的な構造は安定しており、使用安全性能が高い。
【図面の簡単な説明】
【００１７】
【図１】本考案の収納状態の立体図である。
【図２】本考案の収納状態の上面図である。
【図３】本考案の収納状態の断面図である。
【図４】本考案の第１の分解模式図である。
【図５】図４におけるＡ部分の構造拡大図である。
【図６】本考案の第２の分解模式図である。
【図７】図６におけるＢ部分の構造拡大図である。
【図８】本考案のロック機構の一部の第１の構造模式図である。
【図９】本考案のロック機構の一部の第２の構造模式図である。
【考案を実施するための形態】
【００１８】
当業者が本考案の技術手段をよりよく理解できるようにするために、以下では、本考案の実施例における図面を参照しながら、本考案の実施例における技術手段を明確かつ完全に説明する。もちろん、説明される実施例は本考案の実施例の一部に過ぎず、実施例の全てではないことは明らかである。本考案における実施例に基づいて、当業者が創造的な労働なしに得た他の全ての実施例も本考案の保護範囲に含まれるべきである。
【００１９】
図１〜図９に示すように、調整可能なダンベルは、ベース１と、グリップバー２と、グリップバー２の両側に連結された複数組のダンベルプレートアセンブリ３と、を備え、グリップバー２が回動すると、グリップバー２のダンベルプレートアセンブリ３の数を調整することができる。
【００２０】
ダンベルプレートアセンブリ３は、グリップバー２と回り止めフィットして連結され、グリップバー２に伴って同期的に回動可能な回転部材３１と、アダプター３２と、回転部材３１とアダプター３２との間に位置してアダプター３２と回り止めフィットして連結される制限部材３３と、カウンターウェイトブロック４と、を含む。図５及び図７に示すように、制限部材３３は、回転部材３１に向いている側にプレスリブ３３１が設けられ、アダプター３２に向いている側に突起３３２が設けられ、アダプター３２における突起３３２に対応する位置には挿入穴３２１が形成され、当該挿入穴３２１の形状及び大きさは突起３３２の形状及び大きさに適合している。
【００２１】
制限部材３３とアダプター３２との間は弾性的に連結され、具体的には、アダプター３２は制限部材３３側に位置決め柱３２２が垂直に設けられ、当該位置決め柱３２２には弾性部材（図示せず）が被装され、制限部材３３における位置決め柱３２２に対応する位置には位置決め孔３３３が開設され、位置決め柱３２２は位置決め孔３３３を通過することができる。その時、弾性部材は、一端がアダプター３２に当接し、他端が制限部材３３に当接する。それによって、制限部材３３とアダプター３２の弾性的な連結を実現し、両者は回り止めフィットされる。
【００２２】
外力を加えて回転部材３１を回動させる場合、本実施例では、外力を加えてグリップバー２を回動させると、回転部材３１が同期に回動し、回転部材３１がプレスリブ３３１に当接して制限部材３３がグリップバー２に沿って平行移動するように駆動し、突起３３２を挿入穴３２１に延ばせたり挿入穴３２１から離脱させたりして、制限部材３３とアダプター３２の連結又は分離を実現する。
【００２３】
図７に示すように、回転部材３１の制限部材３３に向いている側には対称的な凹溝３１１が形成され、隣接する凹溝３１１の間に１組の駆動凸部３１２が形成され、当該駆動凸部３１２がプレスリブ３３１に当接することで、制限部材３３の平行移動を実現することができる。駆動凸部３１２を回動してプレスリブ３３１の側面に容易に当接させるために、プレスリブ３３１の端部に傾斜面３３４を形成し、駆動凸部３１２は傾斜面３３４に沿ってプレスリブ３３１の側面に回動するまで摺動することができる。
【００２４】
複数組のダンベルプレートアセンブリ３の制限部材３３におけるプレスリブ３３１は、周方向の長さが異なり、具体的には、グリップバー２の中心位置に近いほどプレスリブ３３１の周方向の長さが長く、グリップバー２の中心位置から離れた両側のダンベルプレートアセンブリ３におけるプレスリブ３３１の周方向の長さは徐々に短くなる。本実施例では、プレスリブ３３１は対称的に対で現れ、最も外側のプレスリブ３３１は３６°の中心角を有する円弧状の２つの凸状リブであり、ダンベルプレートアセンブリ３の数は４組であり、グリップバー２の中心に近い方向では、プレスリブ３３１は、７２°の中心角で円弧状の１対の凸状リブ、１４４°の中心角で円弧状の１対の凸状リブ、２１６°の中心角で円弧状の１対の凸状リブ、又は２８８°の中心角で円弧状の１対の凸状リブであってもよい。もちろん、具体的な中心角の角度に制限されるものではない。従って、グリップバー２が周方向に１回動すると、４組のダンベルプレートアセンブリ３はいずれもカウンターウェイトブロック４に連結することができる。
【００２５】
アダプター３２の周方向の回動を防止するために、複数組のダンベルプレートアセンブリ３のアダプター３２は連結ブロック５を介して固定連結される。
【００２６】
本考案のダンベルは、図８及び図９に示すように、グリップバー２上にカバーされた固定部材６１と、グリップバー２に伴って同期に回動可能な可動部材６２と、ロック部材６３とを有するロック機構６をさらに備え、可動部材６２は周方向に沿って複数の貫通孔６２１が開設され、固定部材６１には少なくとも１組の弾性ボール６１１が設けられ、可動部材６２と固定部材６１が相対的に回動すると、弾性ボール６１１の一部は貫通孔６２１内に落ち込むことができる。それによって、固定部材６１と可動部材６２の回り止めフィットによる位置制限を実現する。本実施例では、弾性ボール６１１の一端には、固定部材６１の内部に入るバネが連結され、１組の弾性ボール６１１の数は２つである。貫通孔６２１の数は１０個であり、貫通孔６２１と弾性ボール６１１の協働により５つの可動経路に分けることができ、そのうちの１つは初期状態を形成し、他の４つの可動経路はそれぞれ４つのカウンターウェイトブロック４を連結するために使用される。
【００２７】
可動部材６２の縁部は折り曲げて凸状歯６２２を形成し、隣接する凸状歯６２２の間には隙間が形成され、貫通孔６２１と凸状歯６２２は交互に分布される。つまり、貫通孔６２１と隙間は正対するように配置される。
【００２８】
ロック部材６３は、固定部材６１に移動可能に連結され、初期状態、即ちダンベルプレートアセンブリ３がベース１上に置かれた時に、ロック部材６３はベース１上のロック解除ブロック１１によって押し上げられて、ロック部材６３は凸状歯６２２の間の隙間にはめ込むことがない。その時、可動部材６２は自由に回動することができ、ロック機構６及びダンベルプレートアセンブリ３がベース１から離脱すると、ロック部材６３は下方に移動して凸状歯６２２の間の隙間にはめ込まれ、可動部材６２の回動を阻止し、ひいてはグリップバー２の周方向の回動を阻止する。
【００２９】
可動部材６２を弾性ボール６１１が貫通孔６２１内に落ちるまで周方向に回動させると、１組のダンベルプレートアセンブリ３がカウンターウェイトブロック４にちょうど連結され、使用者に感触の手掛かりも与える。カウンターウェイトブロック４における挿入穴３２１に対応する位置には、突起３３２がアダプター３２を通過した後に入る係止溝４１が形成され、係止溝４１の大きさ及び形状は突起３３２の大きさ及び形状に適合している。
【００３０】
カウンターウェイトブロック４は、上部に切欠きが形成され、第１のＵ字型切欠き４２１を有する本体４２と、第１のＵ字型切欠き４２１から延びて形成された薄肉部４３とを含み、薄肉部４３は第２のＵ字型切欠き４３１を有し、連結ブロック５は複数のカウンターウェイトブロック４の第２のＵ字型切欠き４３１の間に入り、連結ブロック５は複数組のダンベルプレートアセンブリ３のアダプター３２に固定連結され、連結ブロック５の一端は固定部材６１に固定連結され、他端はダンベルの外側の制限ディスク７に固定連結される。アダプター３２は、第１のＵ字型切欠き４２１に入り、第１のＵ字型切欠き４２１はアダプター３２に対する制限効果を達成する。
【００３１】
本考案の作業工程は、複数組のダンベルプレートアセンブリ３をベース１上に置き、グリップバー２の中心に近い１組のダンベルプレートアセンブリ３のカウンターウェイトブロック４がグリップバー２に連結するようにグリップバー２を回動させ、具体的には、回転部材３１を回動させて駆動凸部３１２が傾斜面３３４に沿ってプレスリブ３３１の側面にスライドし、制限部材３３が回転部材３１から離れる方向に平行移動するようにする。それによって、制限部材３３上の突起３３２はアダプター３２の挿入穴３２１内に延び、挿入穴３２１を通過してカウンターウェイトブロック４の係止溝４１内に落ち、カウンターウェイトブロック４の連結を実現する。引き続きグリップバー２を回動させて第２組のグリップバーのダンベルプレートアセンブリ３のカウンターウェイトブロック４をグリップバー２に連結させ、必要に応じて、又は全てのカウンターウェイトブロック４がグリップバー２に連結されるまで、様々な数のカウンターウェイトブロック４を連結する。
【００３２】
カウンターウェイトブロック４を分解する必要がある場合、グリップバー２を逆方向に回転させるだけでよい。その時、弾性部材の作用により、制限部材３３はアダプター３２から離れる方向に移動することができ、突起３３２は挿入穴３２１から離脱する。
【００３３】
上記の具体的な実施例は、本考案を説明するためのものであり、本考案を制限するためのものではない。本考案の精神及び実用新案登録請求の範囲の保護範囲内で、本考案に加えられたいかなる修正及び変更は、いずれも本考案の保護範囲に含まれる。
【図１】
0003233515.tif 000003
【図２】
0003233515.tif 000004
【図３】
0003233515.tif 000005
【図４】
0003233515.tif 000006
【図５】
0003233515.tif 000007
【図６】
0003233515.tif 000008
【図７】
0003233515.tif 000009
【図８】
0003233515.tif 000010
【図９】
0003233515.tif 000011